(57)【要約】【課題】一方の複数の接続端子１の何れかと他方の複数の接続端子２の何れかとを電気接続するために両端部に接続端子片３，４を取り付けてなる接続用樹脂被覆電線５において、該樹脂被覆電線５が電気接続される複数の前記両接続端子１，２の何れの接続端子に接続されるのかを識別するための線番号６を常に見やすく樹脂被覆電線５に表示すること。【解決手段】管状体７が樹脂被覆電線５の両端部に取り付けられると共に、管状体７に軸方向に表示される線番号６は管状体回りに並列して一対表示され、且つ一対の線番号の字体の向きが上下反対に表示されてなる。【選択図】図１
0003121069.tif 000002
【実用新案登録請求の範囲】
【請求項１】
一方の複数の接続端子１の何れかと他方の複数の接続端子２の何れかとを電気接続するために両端部に接続端子片３，４を取り付けてなる接続用樹脂被覆電線５において、該樹脂被覆電線５が電気接続される複数の前記両接続端子１，２の何れの接続端子に接続されるのかを識別するための線番号６が表示された管状体７が樹脂被覆電線５の両端部に取り付けられると共に、管状体７に軸方向に表示される線番号６は管状体回りに並列して一対表示され、且つ一対の線番号の字体の向きが上下反対に表示されてなる接続用樹脂被覆電線。
【請求項２】
樹脂被覆電線５が電気接続される複数の前記両接続端子１，２の何れの接続端子に接続されるのかを識別するための線番号６が表示された管状体７が樹脂被覆電線５の両端部に取り付けられると共に、管状体７に軸方向に表示される線番号６は管状体回りに並列して一対表示され、且つ一対の線番号の字体の向きが上下反対に表示され、尚且つ一端部の管状体７の線番号６が見にくい倒立状態に表示されていても、他端部の管状体７の線番号６は必ず見やすい正立状態に表示されるようになっている請求項１に記載の接続用樹脂被覆電線
【請求項３】
前記管状体７に前記一対の線番号６，６が刻印されてなる請求項１又は２に記載の接続用樹脂被覆電線。
【考案の詳細な説明】
【技術分野】
【０００１】
本考案は、制御盤等の組み立てに使用される接続端子片相互間を接続ために使用される接続用樹脂被覆電線に関する。
【背景技術】
【０００２】
図７に示すように、制御盤等の取付基板８の上面に外部配線９ａに繋がれる外部配線接続用端子台９が取り付けられ、この外部配線接続用端子台９から所定の間隔をおいて多数の電気部品取付用端子台１０を複数列状に配設され、そして外部配設接続用端子台９と電気部品取付用端子台１０には、図６に示すように多数の接続端子１，２が並列状態に設置され、この多数の接続端子１，２間で接続されるリード線等の接続用樹脂被覆電線５には、これら多数の接続端子１，２のうち、どの接続端子１，２に接続されるべきかを識別するための線番号６が表示され、この線番号６に基づいて接続用樹脂被覆電線５は目的の接続端子１，２に接続されるようになっている。なお、図６および図７において、１１は各接続端子１につながれたソケット、図７において、１２は半導体あるいは抵抗などの電気部品で、ソケット１１に接続される。
【考案の開示】
【考案が解決しようとする課題】
【０００３】
リード線などの接続用樹脂被覆電線５は、図５に示すように内部の導体１３とこれを被覆する樹脂被覆部１４と導体１３の両端部に固着される接続端子片３，４とからなり、樹脂被覆部１４の表面に接続用樹脂被覆電線５がどの接続端子片３，４に接続されるかを識別するための線番号６が表示されている。
【０００４】
図５に示すように、接続用樹脂被覆電線５には線番号６が表示されているのであるが、これう接続端子１，２間に接続する際に線番号６が一箇所に一つだけしか表示されていないため、線番号６が接続用樹脂被覆電線５の裏側に位置していて見えない場合には一々反転して見えるように取り扱わねばならず、また接続用樹脂被覆電線５の長手方向の向きによっては線番号６が倒立状態となっている場合があり、線番号６を判読しにくいという問題もあった。
本考案は、上述の問題点を解消することを目的とするものである。
【課題を解決するための手段】
【０００５】
上記課題を解決するための手段を、後述する実施形態の参照符号を付して説明すると、請求項１に係る考案の接続用樹脂被覆電線５は、図６に示すように、一方の複数の接続端子１の何れかと他方の複数の接続端子２の何れかとを電気接続するために両端部に接続端子片３，４を取り付けてなる接続用樹脂被覆電線５において、図１に示すように、該樹脂被覆電線５が電気接続される複数の前記両接続端子１，２の何れの接続端子に接続されるのかを識別するための線番号６が表示された管状体７が樹脂被覆電線５の両端部に取り付けられると共に、管状体７に軸方向に表示される線番号６は管状体回りに並列して一対表示され、且つ一対の線番号の字体の向きが上下反対に表示されてなることを特徴とするものである。
【０００６】
また、請求項２に係る考案の接続用樹脂被覆電線５は、請求項１に記載の接続用樹脂被覆電線５において、樹脂被覆電線５が電気接続される複数の前記両接続端子１，２の何れの接続端子に接続されるのかを識別するための線番号６が表示された管状体７が樹脂被覆電線５の両端部に取り付けられると共に、管状体７に軸方向に表示される線番号６は管状体回りに並列して一対表示され、且つ一対の線番号の字体の向きが上下反対に表示され、尚且つ一端部の管状体７の線番号６が見にくい倒立状態に表示されていても、他端部の管状体７の線番号６は必ず見やすい正立状態に表示されるようになっていることを特徴とするものである。
【０００７】
また、請求項３は、請求項１又は２に記載の接続用樹脂被覆電線５において、管状体７には一対の線番号６が刻印されてなることを特徴としている。
【考案の効果】
【０００８】
請求項１に係る考案によれば、樹脂被覆電線５が電気接続される複数の前記両接続端子１，２の何れの接続端子に接続されるのかを識別するための線番号６が表示された管状体７が樹脂被覆電線５の両端部に取り付けられると共に、管状体７に軸方向に表示される線番号６は管状体回りに並列して一対表示され、且つ一対の線番号の字体の向きが上下反対に表示されてなるため、接続用樹脂被覆電線５が表裏反転していても、その長手方向の向きがどのようになっていても、図１を見ればよく分かるように、接続用樹脂被覆電線５の両端部に取り付けられる一対のうち、必ず何れか一方の管状体７の表面側には容易に判読することのできる正立状態の線番号６は表示される。これがために、その接続用樹脂被覆電線５の即刻に判読された線番号６に基づいて、迅速に該接続用樹脂被覆電線５を目的とする接続端子１，２に接続することができ、作業能率を上げることができる。
【０００９】
特に、請求項２に係る考案によれば、樹脂被覆電線５が電気接続される複数の前記両接続端子１，２の何れの接続端子に接続されるのかを識別するための線番号６が表示された管状体７が樹脂被覆電線５の両端部に取り付けられると共に、管状体７に軸方向に表示される線番号６は管状体回りに並列して一対表示され、且つ一対の線番号の字体の向きが上下反対に表示され、尚且つ一端部の管状体７の線番号６が見にくい倒立状態に表示されていても、他端部の管状体７の線番号６は必ず見やすい正立状態に表示されるようになっているため、接続用樹脂被覆電線５の表面からは必ずれた見やすい正立状態の線番号６を読み取ることができ、これがために、より一層迅速に該接続用樹脂被覆電線５を目的とする接続端子１，２に接続することができ、作業能率を上げることができる。
【００１０】
また、請求項３に係る考案によれば、接続用樹脂被覆電線５に取り付けられた管状体７には一対の線番号６が刻印されてなるため、線番号６が消えて判読しにくいというようなことがない。
【考案を実施するための最良の形態】
【００１１】
図１は本考案に係る接続用樹脂被覆電線５の斜視図であり、リード線などの接続用樹脂被覆電線５は、図１に示すように内部の導体１３とこれを被覆する樹脂被覆部１４と導体１３の両端部にかしめあるいはハンダ付けなど固着部１５によって固着される接続端子片３，４とからなり、樹脂被覆部１４は塩化ビニール、ポリプロポリエチレン、ポリエチレンテレフタレート等の熱可塑性軟質合成樹脂によって形成されている。
【００１２】
そして、接続用樹脂被覆電線５の両端部には、同じく塩化ビニール、ポリプロポリエチレン、ポリエチレンテレフタレート等の熱可塑性軟質合成樹脂によって形成された管状体７が嵌合して取り付けられ、この管状体７には、図２に示すように、樹脂被覆電線５が電気接続される複数の前記両接続端子１，２の何れの接続端子に接続されるのかを識別するための線番号６が軸方向に表示されるとともに、線番号６は管状体の外周回りに並列して一対表示され、（ａ）に示すように、一つの線番号６は  管状体７の正面側に正立状態に表示され、他方の線番号６は（ｂ）に示すように裏面側で倒立状態に表示される。
【００１３】
即ち、管状体７を、仮に図３に示すように伸展状態にして説明すると、管状体７に並列状態に表示される一対の線番号６，６のうち、一方の線番号６は正立状態に表示されるのに対し、他方の線番号６は点対象状に倒立状態に表示されてなる。
なお、この一対の線番号６は刻印によって管状体７に表示されるため、長期間使用しても消えることがない。
【００１４】
管状体７を接続用樹脂被覆電線５の両端部に取り付けるには、図４に示すように、樹脂被覆部１４に被覆された導体１０の露出両端部に接続端子片３，４を取り付ける前に、管状体７を樹脂被覆部１４に若干きつく嵌合し、その後に導体１０の露出両端部に接続端子片３，４をかしめ止め或いはハンダ付けなどの固着部１５によって固着し、しかる後に管状体７を接続端子片３，４側に移動させて上記固着部１５を管状体７によって被覆すれば、該固着部分も絶縁被覆されることになる。なお、接続端子片３，４は図５に示すようにな二股状のもの、或いは図１に示すような環状のものがある。
【００１５】
このように一対の管状体７を接続用樹脂被覆電線５の両端部に取り付けることによって、図１に示すように、管状体７に軸方向に表示される線番号６は管状体回りに並列して一対表示され、且つ一対の線番号７，７の字体の向きが上下反対に表示され、尚且つ一端部の管状体７の線番号６が見にくい倒立状態に表示されていても、他端部の管状体７の線番号６は必ず見やすい正立状態に表示されるようになっているため、接続用樹脂被覆電線５の表面からは必ず見やすい正立状態の線番号６を読み取ることができ、これがために、迅速に該接続用樹脂被覆電線５を目的とする接続端子１，２に接続することができ、作業能率を上げることができる。
【図面の簡単な説明】
【００１６】
【図１】本考案に係る接続用樹脂被覆電線５の斜視図である。
【図２】本考案の要部である管状体７の斜視図であり、（ａ）は正面側に線番号６を正立状態に表示し、（ｂ）は裏面側に線番号６を倒立状態に表示してなるものである。
【図３】管状体７に形成される線番号６の配列状態を説明のために、仮に管状体７を伸展状態で表示した斜視図である。
【図４】管状体７を接続用樹脂被覆電線５の両端部に取り付ける状態を示す説明図である。
【図５】従来の接続用樹脂被覆電線５の斜視図である。
【図６】接続用樹脂被覆電線５が使用される一例を示す平面図である。
【図７】接続用樹脂被覆電線５が使用される一例を示す斜視図である。
【符号の説明】
【００１７】
１      接続端子
２      接続端子
３      接続端子片
４      接続端子片
５      接続用樹脂被覆電線
６      線番号
７      管状体
【図１】
0003121069.tif 000003
【図２】
0003121069.tif 000004
【図３】
0003121069.tif 000005
【図４】
0003121069.tif 000006
【図５】
0003121069.tif 000007
【図６】
0003121069.tif 000008
【図７】
0003121069.tif 000009